(57)【要約】【課題】  複数の通信装置と適切に通信することができる基地局、通信システム、通信方法および通信制御用プログラムを提供する。【解決手段】  複数の通信部は、複数の通信装置と通信し、追加部は、一の通信部が通信可能な通信装置の数が所定の閾値以上となった場合に、当該一の通信部によって通信装置との通信に用いられるリソースに、他の通信部によって用いられるリソースの少なくとも一部を追加する。【選択図】      図１１
2019161469.tif 000002
【特許請求の範囲】
【請求項１】
複数の通信装置と通信する複数の通信手段と、
一の通信手段が通信可能な通信装置の数が所定の閾値以上となった場合に、前記一の通信手段によって前記通信装置との通信に用いられるリソースに、他の通信手段によって用いられるリソースの少なくとも一部を追加する追加手段と
を備える基地局。
【請求項２】
前記一の通信手段と通信可能な範囲を示す一のセルにおいて、前記一の通信手段が通信可能な前記通信装置の数が所定の閾値以上となった場合に、前記追加手段は、前記一のセルにおいて、前記一の通信手段によって前記通信装置との通信に用いられるリソースに、前記他の通信手段と通信可能な範囲を示す他のセルにおいて、前記他の通信手段によって用いられるリソースの少なくとも一部を追加する
請求項１に記載の基地局。
【請求項３】
前記一の通信手段が通信可能な前記通信装置の数が所定の閾値以上となった場合に、前記追加手段は、前記一の通信手段によって前記通信装置との通信に用いられるリソースに、複数の前記他の通信手段によって用いられるリソースの少なくとも一部を追加する
請求項１または２に記載の基地局。
【請求項４】
前記複数の通信装置には、それぞれ優先度が設定され、
前記追加手段は、前記一の通信手段において、より高い優先度が設定された通信装置との通信に用いられるリソースと、より低い優先度が設定された通信装置との通信に用いられるリソースとの割合を変更し、前記他の通信手段において、より高い優先度が設定された通信装置との通信に用いられるリソースと、より低い優先度が設定された通信装置との通信に用いられるリソースとの割合を変更する
請求項１乃至３のいずれか１項に記載の基地局。
【請求項５】
前記一の通信手段が通信可能な前記通信装置の数が所定の閾値以上となった場合に、前記所定の閾値を変更する変更手段をさらに備える
請求項１乃至４のいずれか１項に記載の基地局。
【請求項６】
前記一の通信手段と通信可能な範囲を示す一のセルにおいて、前記一の通信手段が通信可能な前記通信装置の数が所定の閾値以上となった場合に、前記追加手段は、前記一のセルにおいて、前記一の通信手段によって前記通信装置との通信に用いられるリソースに、前記一のセルにおいて、前記一の通信手段によって用いられる他のリソースの少なくとも一部を追加する
請求項１乃至５のいずれか１項に記載の基地局。
【請求項７】
請求項１乃至６のいずれか１項に記載の基地局と、
前記基地局と通信する前記通信装置と、
前記基地局と通信する他の通信装置と
を備える通信システム。
【請求項８】
複数の通信装置と通信し、
通信可能な通信装置の数が所定の閾値以上となった場合に、前記通信装置との通信に用いられるリソースに、他のリソースの少なくとも一部を追加する
通信方法。
【請求項９】
コンピュータに、
複数の通信手段に複数の通信装置と通信させる通信処理と、
一の通信手段が通信可能な通信装置の数が所定の閾値以上となった場合に、前記一の通信手段によって前記通信装置との通信に用いられるリソースに、他の通信手段によって用いられるリソースの少なくとも一部を追加する追加処理と
を実行させる通信制御用プログラム。
【発明の詳細な説明】
【技術分野】
【０００１】
本発明は、基地局、通信システム、通信方法、および通信制御用プログラムに関する。
【背景技術】
【０００２】
基地局と通信可能な範囲であるセルにある通信装置と通信する基地局が知られている。
【０００３】
特許文献１には、通信状況に応じて適切なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数を算出し、算出したＯＦＤＭシンボル数の中の最大数を、次の制御区間内の各サブフレームにおける割り当て可能なＯＦＤＭシンボル数とする無線基地局が記載されている。例えば、特許文献１に記載されている無線基地局は、単一の移動局との通信状況を考慮して、次の制御区間内の各サブフレームにおける割り当て可能なＯＦＤＭシンボル数を決定する。
【先行技術文献】
【特許文献】
【０００４】
【特許文献１】特開２０１０−１１４７８１号公報
【発明の概要】
【発明が解決しようとする課題】
【０００５】
特許文献１に記載されている無線基地局は、複数の移動局との通信を考慮していない。
【０００６】
本発明は、上記課題に鑑み、複数の通信装置と適切に通信することができる基地局、通信システム、通信方法、および通信制御用プログラムを提供することを目的とする。
【課題を解決するための手段】
【０００７】
本発明の基地局は、複数の通信装置と通信する複数の通信手段と、一の通信手段が通信可能な通信装置の数が所定の閾値以上となった場合に、前記一の通信手段によって前記通信装置との通信に用いられるリソースに、他の通信手段によって用いられるリソースの少なくとも一部を追加する追加手段とを備える。
【０００８】
本発明の通信システムは、いずれかの態様の基地局と、前記基地局と通信する通信装置と、前記基地局と通信する他の通信装置とを備える。
【０００９】
本発明の通信方法は、複数の通信装置と通信し、通信可能な通信装置の数が所定の閾値以上となった場合に、前記通信装置との通信に用いられるリソースに、他のリソースの少なくとも一部を追加する。
【００１０】
本発明の通信制御用プログラムは、コンピュータに、複数の通信手段に複数の通信装置と通信させる通信処理と、一の通信手段が通信可能な通信装置の数が所定の閾値以上となった場合に、前記一の通信手段によって前記通信装置との通信に用いられるリソースに、他の通信手段によって用いられるリソースの少なくとも一部を追加する追加処理とを実行させる。
【発明の効果】
【００１１】
複数の通信装置と適切に通信することができる。
【図面の簡単な説明】
【００１２】
【図１】第１の実施形態における通信システムの構成例を示す図である。
【図２】第１の実施形態における基地局装置の構成例を示すブロック図である。
【図３】第１の実施形態における基地局装置が実行する接続可能者数情報の変更処理例を示す図である。
【図４】第１の実施形態における基地局装置が実行する接続者数情報の報告処理を示すシーケンスチャートである。
【図５】第１の実施形態における基地局装置が実行する接続可能者数情報の変更処理を示すシーケンスチャートである。
【図６】第２の実施形態における通信システムの構成例を示す図である。
【図７】第２の実施形態における基地局装置の構成例を示すブロック図である。
【図８】第２の実施形態における基地局装置が実行する接続可能者数情報の変更処理例を示す図である。
【図９】第２の実施形態における基地局装置が実行する接続者数情報の報告処理を示すシーケンスチャートである。
【図１０】第２の実施形態における基地局装置が実行する接続可能者数情報の変更処理を示すシーケンスチャートである。
【図１１】第３の実施形態における基地局の構成例を示す図である。
【発明を実施するための形態】
【００１３】
＜第１の実施形態＞
第１の実施形態の通信システム１について、図面を参照して説明する。図１は、第１の実施形態の通信システム１の構成例を示すブロック図である。通信システム１は、基地局装置１００と、通信装置２００とを含む。なお、基地局装置１００、通信装置２００およびコアネットワーク３００は、例えば、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００の仕様やＬＴＥ（Ｌｏｎｇ  Ｔｅｒｍ  Ｅｖｏｌｕｔｉｏｎ、登録商標）の仕様に従って通信するように構成されている。また、通信システム１は、例えば、Ｃ−ＲＡＮ（Ｃｅｎｔｒａｌｉｚｅｄ  Ｒａｄｉｏ  Ａｃｃｅｓｓ  Ｎｅｔｗｏｒｋ、Ｃｌｏｕｄ  Ｒａｄｉｏ  Ａｃｃｅｓｓ  Ｎｅｔｗｏｒｋ）に応じた構成に基づいて構成されている。コアネットワーク３００は、例えば、ＥＰＣ（Ｅｖｏｌｖｅｄ  Ｐａｃｋｅｔ  Ｃｏｒｅ）である。
【００１４】
基地局装置１００と、コアネットワーク３００とは、互いの間で通信するために互いに接続可能である。例えば、基地局装置１００は、コアネットワーク３００から送信された信号を受信する。また、例えば、基地局装置１００は、コアネットワーク３００に、通信装置２００から受信した信号を送信する。
【００１５】
基地局装置１００と、通信装置２００とは、互いの間で通信するために互いに接続可能である。例えば、基地局装置１００は、通信装置２００から送信された信号を受信する。また、例えば、基地局装置１００は、通信装置２００に信号を送信する。なお、通信装置２００は、例えば、スマートフォンや携帯電話機等の通信装置である。また、通信装置２００は、Ｕｓｅｒ  Ｅｑｕｉｐｍｅｎｔ（ＵＥ）とも称される。
【００１６】
基地局装置１００と、通信装置２００とは、例えば、ＲＲＨ（Ｒｅｍｏｔｅ  Ｒａｄｉｏ  Ｈｅａｄ）４００を介して、互いの間で通信するために互いに接続可能である。また、例えば、基地局装置１００と、ＲＲＨ４００とは、有線伝送路（例えば、光通信ケーブルなど）を介して互いに接続されている。例えば、図１の場合では、基地局装置１００は、４つのＲＲＨ４０１〜４０４と互いに接続されている。そして、基地局装置１００は、各ＲＲＨ４０１〜４０４を介して、通信装置２００と通信する。なお、サービスエリア（以下、セルともいう）５０１〜５０４は、各ＲＲＨ４０１〜４０４と通信可能な範囲を示す。例えば、基地局装置１００は、ＲＲＨ４０１を介してサービスエリア５０１内にいる通信装置２００と通信する。なお、図１には、各サービスエリア５０１〜５０４内に２台の通信装置２００がある例が記載されているが、各サービスエリア５０１〜５０４内にある通信装置２００の数は２台に限定されず、１台であってもよいし、３台以上であってもよい。また、図１には、基地局装置１００に４つのＲＲＨ４０１〜４０４が接続されている例が記載されているが、ＲＲＨの数は４台に限定されず、４台未満であってもよいし、５台以上であってもよい。
【００１７】
図２は、基地局装置１００の構成例を示すブロック図である。図２に示すように、基地局装置１００は、有線通信部１１０と、リソース収容部１２０と、サービスエリア監視制御部１３０とを含む。
【００１８】
有線通信部１１０は、コアネットワーク３００と通信する。例えば、有線通信部１１０と、コアネットワーク３００とは、有線伝送路を介して互いの間で通信する。
【００１９】
リソース収容部１２０は、通信処理部１２１と、通信処理部１２２と、通信処理部１２３と、通信処理部１２４とを含む。通信処理部１２１と、図１に示すＲＲＨ４０１とは、互いに接続されている。通信処理部１２２と、図１に示すＲＲＨ４０２とは、互いに接続されている。通信処理部１２３と、図１に示すＲＲＨ４０３とは、互いに接続されている。通信処理部１２４と、図１に示すＲＲＨ４０４とは、互いに接続されている。
【００２０】
通信処理部１２１は、接続されているＲＲＨ４０１を介して、サービスエリア５０１内にいる通信装置２００と通信する。具体的には、例えば、通信処理部１２１は、通信装置２００から、ＲＲＨ４０１を介して、所定のデータで変調された搬送波を受信する。また、具体的には、例えば、通信処理部１２１は、変調された搬送波を復調し、所定のデータに応じた情報を取得する。また、通信処理部１２１は、所定の情報（例えば、無線リソースを示す情報）に応じたデータで搬送波を変調し、ＲＲＨ４０１を介して、通信装置２００に変調された搬送波を送信する。なお、以下の説明では、通信処理部と、ＲＲＨとをまとめて通信処理部と称する場合がある。
【００２１】
また、通信処理部１２１には、サービスエリア監視制御部１３０から入力された接続可能者数を示す情報（以下、接続可能者数情報ともいう）が記憶される。接続可能者数は、通信処理部１２１が通信可能な通信装置２００の上限数を示す。すなわち、接続可能者数は、一つのサービスエリアで通信サービスを提供可能な通信装置２００の上限数を示す。例えば、接続可能者数は、当該上限数分の無線リソース（例えば、周波数リソースやリソースブロックなど）を示す情報に基づいて定められている。例えば、最大３０００台の通信装置２００に通信サービスを提供可能な無線リソースを利用可能な場合には、接続可能者数は、３０００となる。本例では、接続可能者数情報は、最大３０００台の通信装置２００に通信サービスを提供可能な無線リソースを示す情報である。
【００２２】
例えば、通信処理部１２１は、入力された接続可能者数情報に基づき、無線リソースを通信装置２００に割り当て、通信装置２００に、割り当てた無線リソースを示す情報を送信する。そして、通信処理部１２１と通信装置２００とは、当該無線リソースを使用して、互いの間で通信する。
【００２３】
また、通信処理部１２１は、通信処理部１２１と通信可能な状態にある通信装置２００の現在の数を算出し、サービスエリア監視制御部１３０に、当該通信装置２００の数を示す情報（接続者数情報ともいう）を入力する。例えば、通信処理部１２１と通信可能な範囲であるサービスエリア５０１内に、通信処理部１２１と既知の接続処理を行った通信装置２００が５００台ある場合に、接続者数情報は５００となる。例えば、通信処理部１２１と通信装置２００との間で既知の接続処理が行われた場合に、通信処理部１２１には、当該接続処理の数が記憶される。ここで、通信処理部１２１は、所定の期間における当該接続処理の数を、通信処理部１２１と通信可能な状態にある通信装置２００の現在の数として算出するように構成されていてもよい。なお、通信処理部１２１は、接続処理が行われた数から通信不能になった通信装置２００の数を減算した差の値を通信処理部１２１と通信可能な状態にある通信装置２００の現在の数として算出するように構成されていてもよい。
【００２４】
また、例えば、通信処理部１２１と通信装置２００との間で既知の接続処理が行われた場合に、通信処理部１２１には、当該通信装置２００の識別子が記憶されるように構成されていてもよい。そして、通信不能になった通信装置２００の識別子は消去される。通信処理部１２１は、記憶されている当該識別子の数を、通信処理部１２１と通信可能な状態にある通信装置２００の現在の数として算出するように構成されていてもよい。なお、通信処理部と通信可能な状態にある通信装置２００の現在の数は、接続者数に相当する。
【００２５】
また、通信処理部１２１は、サービスエリア監視制御部１３０からの指示に基づき、通信処理部１２１と通信可能な状態にある通信装置２００の現在の数を算出し、サービスエリア監視制御部１３０に接続者数情報を入力する。
【００２６】
通信処理部１２２、通信処理部１２３および通信処理部１２４は、それぞれ、通信処理部１２１と同様の機能を有する。
【００２７】
サービスエリア監視制御部１３０は、各通信処理部１２１〜１２４における接続可能者数情報を管理する。
【００２８】
サービスエリア監視制御部１３０は、各通信処理部１２１〜１２４における接続可能者数を設定するために、各通信処理部１２１〜１２４に接続可能者数情報を入力する。なお、サービスエリア監視制御部１３０には、各通信処理部１２１〜１２４に入力された接続可能者数情報が記憶される。
【００２９】
サービスエリア監視制御部１３０は、通信処理部１２１が利用可能な無線リソースを特定する。例えば、サービスエリア監視制御部１３０は、ＬＴＥの仕様に従って利用することのできるシステム帯域幅（例えば、周波数帯域幅）に応じて、通信処理部１２１が利用可能な無線リソースを算出するように構成されている。サービスエリア監視制御部１３０は、特定した無線リソースに基づいて、通信処理部１２１に接続可能者数を設定し、通信処理部１２１に接続可能者数情報を入力するように構成されている。
【００３０】
また、例えば、サービスエリア監視制御部１３０は、所定の期間において行われた既知の接続処理の数に基づいて、通信処理部１２１に接続可能者数を設定する。具体的には、例えば、一のサービスエリアにおいて、所定の期間に多くの接続処理が行われた場合には、当該一のサービスエリアを通信可能な範囲とする通信処理部１２１が他の通信処理部よりも多くの無線リソースを利用できるように、サービスエリア監視制御部１３０は、通信処理部１２１に、他の通信処理部よりも大きい接続可能者数を設定する。
【００３１】
サービスエリア監視制御部１３０には、接続者数閾値を示す情報が記憶される。例えば、接続者数閾値は、オペレータ等の管理者によって予めサービスエリア監視制御部１３０に設定される。サービスエリア監視制御部１３０は、接続者数情報によって示されている値が、接続者数閾値に達しているか否かを判定する。なお、接続者数閾値は、接続可能者数情報によって示されている値よりも小さい値に設定される。
【００３２】
サービスエリア監視制御部１３０は、各通信処理部１２１〜１２４に、接続者数情報の入力を要求する。例えば、サービスエリア監視制御部１３０は、通信処理部１２１に、接続者数情報の入力を要求する指示を所定のタイミングで入力する。具体的には、サービスエリア監視制御部１３０は、例えば、５分毎に、通信処理部１２１に当該指示を入力する。
【００３３】
なお、サービスエリア監視制御部１３０は、例えば、当該指示を入力する間隔を変更するように構成されていてもよい。具体的には、サービスエリア監視制御部１３０は、通信処理部１２１から入力された接続者数情報によって示されている値が所定の閾値以上となった場合に、例えば、当該指示を入力する間隔を短くするように、当該間隔を変更する。また、具体的には、サービスエリア監視制御部１３０は、通信処理部１２１から入力された接続者数情報によって示されている値が所定の閾値未満となった場合に、例えば、当該指示を入力する間隔を長くするように、当該間隔を変更する。
【００３４】
また、例えば、サービスエリア監視制御部１３０は、通信処理部１２１から入力された接続者数情報によって示されている値が所定の閾値以上となった場合に、所定のタイミングが到来する前に、当該接続者数情報の入力から所定の時間（例えば１分）が経過した後に、通信処理部１２１に当該指示を入力する。具体的には、５分毎に当該指示を通信処理部１２１に入力しているサービスエリア監視制御部１３０は、通信処理部１２１から入力された接続者数情報によって示されている値が所定の閾値以上となった場合に、例えば、当該接続者数情報の入力から１分が経過した後に、通信処理部１２１に接続者数情報の入力を要求する指示を入力する。
【００３５】
なお、サービスエリア監視制御部１３０から入力された指示によらずに、通信処理部１２１は、通信処理部１２１と通信可能な状態にある通信装置２００の現在の数が所定の閾値以上となった場合に、サービスエリア監視制御部１３０に、接続者数情報を入力するように構成されていてもよい。
【００３６】
サービスエリア監視制御部１３０には、各通信処理部１２１〜１２４から入力された接続者数情報が記憶される。
【００３７】
サービスエリア監視制御部１３０は、接続者数閾値と、各通信処理部１２１〜１２４から入力された接続者数情報とに基づき、接続者数情報によって示されている値が、接続者数閾値に達しているか否かを判定する。例えば、サービスエリア監視制御部１３０は、各通信処理部１２１〜１２４から接続者数情報が入力された場合に、当該判定を行うように構成されていてもよい。
【００３８】
例えば、サービスエリア監視制御部１３０は、通信処理部１２１から入力された接続者数情報によって示されている値が接続者数閾値に達していると判定した場合に、各通信処理部１２２〜１２４に設定されている接続可能者数と、各通信処理部１２２〜１２４から入力された接続者数情報とに基づき、当該接続者数情報によって示されている値が当該接続可能者数情報によって示されている値に達していない通信処理部を特定する。すなわち、サービスエリア監視制御部１３０は、通信サービスを提供可能な通信装置２００の数に余裕のある通信処理部を特定する。
【００３９】
サービスエリア監視制御部１３０は、特定した通信処理部に設定されている接続可能者数の値から所定の値を減算し、通信処理部１２１に設定されている接続可能者数の値に、当該所定の値を加算する。例えば、サービスエリア監視制御部１３０は、特定した通信処理部が利用可能な無線リソースの一部を利用不可に設定して、通信処理部１２１が利用可能な無線リソースに追加する。
【００４０】
図３を用いて、基地局装置１００の具体的な動作を説明する。図３は、サービスエリア監視制御部１３０が管理する各通信処理部１２１〜１２４に設定されている接続可能者数の例を示す説明図である。
【００４１】
図３に示すように、サービスエリア監視制御部１３０によって、例えば、各通信処理部１２１〜１２４には、接続可能者数として、３０００が設定されているとする。この場合には、各通信処理部１２１〜１２４は、通信装置２００との通信のために、最大３０００台の通信装置２００に通信サービスを提供可能な無線リソースを利用することができる。
【００４２】
また、サービスエリア監視制御部１３０によって、各通信処理部１２１〜１２４には、接続者数閾値として、２７００が設定されているとする。
【００４３】
このとき、通信処理部１２１と通信可能な状態にある通信装置２００の現在の数が２７００となり、さらに、通信処理部１２２と通信可能な状態にある通信装置２００の現在の数が５００であった場合における基地局装置１００の具体的な動作は下記のとおりである。
【００４４】
サービスエリア監視制御部１３０は、各通信処理部１２１〜１２４から入力された接続者数情報によって示されている値を特定する。すなわち、サービスエリア監視制御部１３０は、各通信処理部１２１〜１２４と通信可能な状態にある通信装置２００の現在の数を特定する。
【００４５】
そして、サービスエリア監視制御部１３０は、通信処理部１２１と通信可能な状態にある通信装置２００の現在の数（２７００）が接続者数閾値（２７００）に達していると判定する。
【００４６】
さらに、各通信処理部１２２〜１２４に設定されている接続可能者数の値と、各通信処理部１２２〜１２４から入力された接続者数情報によって示されている値とに基づき、サービスエリア監視制御部１３０は、通信処理部１２１とは異なる他の通信処理部を特定する。
【００４７】
例えば、サービスエリア監視制御部１３０は、通信可能な状態にある通信装置２００の現在の数が接続可能者数の値（３０００）に達していない通信処理部１２２を特定する。具体的には、例えば、サービスエリア監視制御部１３０は、通信処理部１２２に設定されている接続可能者数の値（３０００）と、通信処理部１２２から入力された接続者数情報によって示されている値（５００）とに基づいて、通信処理部１２２を特定する。すなわち、サービスエリア監視制御部１３０は、通信サービスを提供可能な通信装置２００の数に余裕のある通信処理部として、通信処理部１２２を特定する。
【００４８】
そして、サービスエリア監視制御部１３０は、通信処理部１２２に設定されている接続可能者数の値から１５００を減算し、通信処理部１２１に設定されている接続可能者数の値に１５００を加算する。サービスエリア監視制御部１３０は、通信処理部１２１および通信処理部１２２に、変更後の接続可能者数情報を入力する。
【００４９】
その結果、通信処理部１２１には、接続可能者数として４５００が設定され、通信処理部１２２には、接続可能者数として１５００が設定されることになる。すなわち、例えば、通信処理部１２１は、最大４５００台の通信装置２００に通信サービスを提供可能な無線リソースを使用することができる。また、通信処理部１２２は、最大１５００台の通信装置２００に通信サービスを提供可能な無線リソースを使用することになる。
【００５０】
図４は、基地局装置１００が実行する接続者数情報の報告処理を示すシーケンスチャートである。
【００５１】
サービスエリア監視制御部１３０は、リソース収容部１２０に、接続者数情報の入力を要求する指示を入力する（ステップＳ１０１）。
【００５２】
リソース収容部１２０の各通信処理部１２１〜１２４は、入力された指示に基づいて、通信可能な状態にある通信装置２００の現在の数を算出する（ステップＳ１０２）。
【００５３】
リソース収容部１２０の各通信処理部１２１〜１２４は、サービスエリア監視制御部１３０に接続者数情報を入力する（ステップＳ１０３）。サービスエリア監視制御部１３０には、各通信処理部１２１〜１２４から、接続者数情報が入力される。
【００５４】
図５は、基地局装置１００が実行する接続可能者数情報の変更処理を示すシーケンスチャートである。
【００５５】
サービスエリア監視制御部１３０は、接続者数閾値と、リソース収容部１２０の各通信処理部１２１〜１２４から入力された接続者数情報とに基づき、各通信処理部１２１〜１２４と通信可能な状態にある通信装置２００の現在の数が、接続者数閾値に達しているか否かを判定する（ステップＳ２０１）。本例では、サービスエリア監視制御部１３０は、通信処理部１２１と通信可能な状態にある通信装置２００の現在の数が、接続者数閾値に達していると判定したとする。
【００５６】
サービスエリア監視制御部１３０は、通信処理部１２１と通信可能な状態にある通信装置２００の現在の数が接続者数閾値に達していると判定した場合（ステップＳ２０１のＹ）に、各通信処理部１２２〜１２４に設定されている接続可能者数と、各通信処理部１２２〜１２４から入力された接続者数情報とに基づき、接続者数情報によって示されている値が接続可能者数情報によって示されている値に達していない通信処理部を特定する（ステップＳ２０２）。本例では、サービスエリア監視制御部１３０は、通信処理部１２２を特定したとする。
【００５７】
サービスエリア監視制御部１３０は、ステップＳ２０２の処理で特定した通信処理部１２２に、接続可能者数の変更を指示する（ステップＳ２０３）。本例では、サービスエリア監視制御部１３０は、接続可能者数を３０００から１５００に変更するために、リソース収容部１２０の通信処理部１２２に、１５００を示す接続可能者数情報を入力する。例えば、サービスエリア監視制御部１３０は、特定した通信処理部１２２に、１５００台の通信装置２００に通信サービスを提供可能な無線リソースを示す接続可能者数情報を入力する。
【００５８】
リソース収容部１２０の通信処理部１２２は、サービスエリア監視制御部１３０から入力された接続可能者数情報に基づき、接続可能者数を変更する（ステップＳ２０４）。例えば、通信処理部１２２は、サービスエリア監視制御部１３０から入力された接続可能者数情報に基づき、１５００台の通信装置２００に通信サービスを提供可能な無線リソースを用いて、通信処理部１２２と通信可能な状態にある通信装置２００に無線リソースを割り当てる。そして、通信処理部１２２は、当該通信装置２００に、割り当てた無線リソースを示す情報を送信する。
【００５９】
リソース収容部１２０の通信処理部１２２は、サービスエリア監視制御部１３０に接続可能者数の変更が完了した旨を通知する（ステップＳ２０５）。
【００６０】
通信処理部１２２から接続可能者数を変更した旨が通知された場合に、サービスエリア監視制御部１３０は、リソース収容部１２０の通信処理部１２１に、接続可能者数の変更を指示する（ステップＳ２０６）。本例では、サービスエリア監視制御部１３０は、接続可能者数を３０００から４５００に変更するために、通信処理部１２１に、４５００を示す接続可能者数情報を入力する。例えば、サービスエリア監視制御部１３０は、通信処理部１２１に、４５００台の通信装置２００に通信サービスを提供可能な無線リソースを示す接続可能者数情報を入力する。
【００６１】
リソース収容部１２０の通信処理部１２１は、サービスエリア監視制御部１３０から入力された接続可能者数情報に基づき、接続可能者数を変更する（ステップＳ２０７）。例えば、通信処理部１２１は、サービスエリア監視制御部１３０から入力された接続可能者数情報に基づき、４５００台の通信装置２００に通信サービスを提供可能な無線リソースを用いて、通信処理部１２１と通信可能な状態にある通信装置２００に無線リソースを割り当てる。そして、通信処理部１２１は、当該通信装置２００に、割り当てた無線リソースを示す情報を送信する。
【００６２】
リソース収容部１２０の通信処理部１２１は、サービスエリア監視制御部１３０に接続可能者数の変更が完了した旨を通知する（ステップＳ２０８）。
【００６３】
サービスエリア監視制御部１３０は、各通信処理部１２１〜１２４と通信可能な状態にある通信装置２００の現在の数が接続者数閾値に達していないと判定した場合（ステップＳ２０１のＮ）には、各通信処理部１２１〜１２４に接続可能者数の変更を指示せずに処理を終了する。各通信処理部１２１〜１２４は、各通信装置２００と通信する。
【００６４】
本実施形態によれば、基地局装置１００は、一の通信処理部と通信可能な状態にある通信装置２００の現在の数に基づいて、他の通信処理部に設定されている接続可能者数の値から所定の値を減算し、当該一の通信処理部に設定されている接続可能者数の値に当該所定の値を加算する。すなわち、基地局装置１００は、例えば、一の通信処理部と通信可能な状態にある通信装置２００の現在の数に基づいて、他の通信処理部によって通信装置２００との通信に用いられる無線リソースの一部を利用不可に設定して、一の通信処理部によって通信装置２００との通信に用いられる無線リソースに追加する。
【００６５】
このような構成によれば、基地局装置は、複数の通信装置と適切に通信することができる。例えば、通信サービスを提供可能な通信装置の数が上限値に近づいている通信処理部に対して、新たに通信装置が通信しようとした場合でも、当該通信処理部は、新たに利用可能となった無線リソースを活用して、当該通信装置と通信することができる。また、例えば、突発的に一のサービスエリア内における通信装置の数が増加した場合でも、当該一のサービスエリアにおいて、通信サービスを提供可能な通信装置の上限値を増加させることができるので、通信サービスを受けられる通信装置の数を増加させることができる。
【００６６】
本実施形態では、サービスエリア監視制御部１３０は、各通信処理部１２１〜１２４と通信可能な状態にある通信装置２００の現在の数が、接続者数閾値に達しているか否かを判定したが、サービスエリア監視制御部１３０は、各通信処理部１２１〜１２４に設定されている接続可能者数の値と、各通信処理部１２１〜１２４と通信可能な状態にある通信装置２００の現在の数との差分値が所定の閾値未満となっているか否かを判定するように構成されていてもよい。すなわち、サービスエリア監視制御部１３０は、一のサービスエリアにおいて、通信サービスを提供可能な通信装置２００の残りの数が所定の閾値未満となっているか否かを判定するように構成されていてもよい。
【００６７】
また、本実施形態では、通信処理部１２２に設定されている接続可能者数の値から１５００を減算したが、減算する値は、１５００でなくてもよい。
【００６８】
例えば、サービスエリア監視制御部１３０は、接続可能者数情報によって示されている値と、接続者数情報によって示されている値とに基づいて、減算する値を算出するように構成されていてもよい。例えば、サービスエリア監視制御部１３０は、所定の値が減算された接続可能者数情報によって示されている値が、接続者数情報によって示されている値より小さくならないように、当該所定の値を決定するように構成されていてもよい。
【００６９】
具体的には、例えば、通信処理部１２２に設定されている接続可能者数の値が３０００であり、通信処理部１２２から入力された接続者数情報によって示されている値が５００であった場合に、通信処理部１２２と通信可能な状態にある通信装置２００に割り当てられる無線リソース以外の無線リソースを通信処理部１２１が利用可能とするために、サービスエリア監視制御部１３０は、通信処理部１２２に設定されている接続可能者数の値から２５００を減算するように構成されていてもよい。
【００７０】
また、本実施形態では、一つの通信処理部に設定されている接続可能者数の値から所定の値が減算されたが、複数の通信処理部に設定されている接続可能者数の値から所定の値が減算されるように構成されていてもよい。例えば、サービスエリア監視制御部１３０は、複数の通信処理部に設定されている接続可能者数に基づき、当該複数の通信処理部に設定されている接続可能者数の値から所定の値を減算し、当該複数の通信処理部とは異なる他の通信処理部に設定されている接続可能者数の値に当該所定の値を加算するように構成されていてもよい。
【００７１】
具体的には、例えば、各通信処理部１２１〜１２４には、接続可能者数として、３０００が設定されているとする。また、通信処理部１２２と通信可能な状態にある通信装置２００の現在の数が５００であり、通信処理部１２３と通信可能な通信装置２００の数が５００であるとする。
【００７２】
このとき、サービスエリア監視制御部１３０は、通信処理部１２２および通信処理部１２３に設定されている接続可能者数の値（３０００）と、通信処理部１２２および通信処理部１２３から入力された接続者数情報によって示されている値（５００）とに基づいて、通信処理部１２２と、通信処理部１２３とを特定する。すなわち、サービスエリア監視制御部１３０は、通信サービスを提供可能な通信装置２００の数に余裕のある通信処理部として、通信処理部１２２と、通信処理部１２３とを特定する。
【００７３】
そして、サービスエリア監視制御部１３０は、通信処理部１２２に設定されている接続可能者数の値から１０００を減算し、通信処理部１２３に設定されている接続可能者数の値から５００を減算し、通信処理部１２１に設定されている接続可能者数の値に１５００を加算するように構成されていてもよい。
【００７４】
また、サービスエリア監視制御部１３０は、特定した通信処理部１２２と通信可能な状態にある通信装置２００の現在の数が０の場合には、当該通信処理部１２２に設定されている接続可能者数の値を、通信処理部１２１に設定されている接続可能者数の値に全て加算するように構成されていてもよい。
【００７５】
また、サービスエリア監視制御部１３０は、接続者数閾値を変更するように構成されていてもよい。
【００７６】
具体的には、例えば、サービスエリア監視制御部１３０は、本実施形態で説明した処理に基づいて、通信処理部１２２に設定されている接続可能者数の値から１５００を減算し、通信処理部１２１に設定されている接続可能者数の値に１５００を加算したとする。そして、サービスエリア監視制御部１３０は、通信処理部１２１および通信処理部１２２に、変更後の接続可能者数情報を入力したとする。
【００７７】
この場合に、サービスエリア監視制御部１３０は、例えば、通信処理部１２１に設定されている接続者数閾値を４０５０に変更する。さらに、サービスエリア監視制御部１３０は、例えば、通信処理部１２２に設定されている接続者数閾値を１３５０に変更する。サービスエリア監視制御部１３０には、変更後の接続者数閾値が記憶される。
【００７８】
このような構成によれば、サービスエリア監視制御部１３０は、変更後の接続者数閾値に基づいて、無線リソースを適切に管理することができる。
【００７９】
有線通信部１１０は、送信回路、および受信回路によって実現される。
【００８０】
リソース収容部１２０および各通信処理部１２１〜１２４は、プログラム制御に従って処理を実行するＣＰＵ（Ｃｅｎｔｒａｌ  Ｐｒｏｃｅｓｓｉｎｇ  Ｕｎｉｔ）、複数の回路、メモリ、送信回路、受信回路およびアンテナ等によって実現される。
【００８１】
例えば、リソース収容部１２０および各通信処理部１２１〜１２４は、ＣＰＵ、複数の回路およびメモリ等の処理リソースを用いて、所定の処理を実行するように構成されていてもよい。
【００８２】
また、サービスエリア監視制御部１３０は、各通信処理部１２１〜１２４と、通信装置２００との間の通信において想定されるデータトラフィックの量や処理の負荷に応じて、リソース収容部１２０および各通信処理部１２１〜１２４によって利用される処理リソースの量（例えば、ＣＰＵの数、メモリの数等）を決定するように構成されていてもよい。例えば、サービスエリア監視制御部１３０は、通信処理部１２１によって行われる信号処理の負荷に応じて、通信処理部１２１によって利用される処理リソースの量を決定する。そして、例えば、通信処理部１２１は、当該処理リソースを用いて、通信装置２００への無線リソースの割り当て、搬送波の変調処理、搬送波の復調処理、通信装置２００への信号の送信処理、通信装置２００からの信号の受信処理および通信処理部１２１と通信装置２００との間で互いに通信するための通信処理等を行う。
【００８３】
また、例えば、各通信処理部１２１〜１２４に設定される接続可能者数は、処理リソースの量に基づいて決定されるように構成されていてもよい。例えば、サービスエリア監視制御部１３０は、リソース収容部１２０および通信処理部１２１〜１２４において利用可能な処理リソースの量に基づいて、各通信処理部１２１〜１２４に接続可能者数を設定する。具体的には、例えば、通信処理部１２１と通信可能なサービスエリアにおいて、最大３０００台の通信装置２００に通信サービスが提供される場合には、通信処理部１２１と、最大３０００台の通信装置２００との間の通信において想定されるデータトラフィックの量や処理の負荷に応じて、通信処理部１２１が当該データトラフィック等を処理できるように、サービスエリア監視制御部１３０は、通信処理部１２１〜１２４によって利用可能な処理リソースの総量のうち、通信処理部１２１によって利用される処理リソースの量を決定し、通信処理部１２１の接続可能者数を３０００に設定する。
【００８４】
また、サービスエリア監視制御部１３０は、各通信処理部１２１〜１２４に設定されている接続可能者数を変更する場合に、各通信処理部１２１〜１２４によって利用されている処理リソースの量の比率を変更するように構成されていてもよい。
【００８５】
具体的には、例えば、図５で示した接続可能者数情報の変更処理のように、通信処理部１２１に設定されている接続可能者数が３０００から４５００に変更される場合に、サービスエリア監視制御部１３０は、通信処理部１２１と、最大３０００台の通信装置２００との間の通信において想定されるデータトラフィックの量や処理の負荷に応じて決定された処理リソースの量を、通信処理部１２１と、最大４５００台の通信装置２００との間の通信において想定されるデータトラフィックの量や処理の負荷に応じた処理リソースの量に変更する。
【００８６】
また、図５で示した接続可能者数情報の変更処理のように、通信処理部１２２に設定されている接続可能者数が３０００から１５００に変更される場合に、サービスエリア監視制御部１３０は、通信処理部１２２と、最大３０００台の通信装置２００との間の通信において想定されるデータトラフィックの量や処理の負荷に応じて決定された処理リソースの量を、通信処理部１２２と、最大１５００台の通信装置２００との間の通信において想定されるデータトラフィックの量や処理の負荷に応じた処理リソースの量に変更する。例えば、サービスエリア監視制御部１３０は、通信処理部１２２によって利用される処理リソースの量を減少させ、当該処理リソースを、通信処理部１２１によって利用される処理リソースの量に追加する。
【００８７】
サービスエリア監視制御部１３０は、例えば、プログラム制御に従って処理を実行するＣＰＵ、複数の回路、メモリ等によって実現される。
【００８８】
＜第２の実施形態＞
第２の実施形態の通信システム２について、図面を参照して説明する。図６は、第２の実施形態の通信システム２の構成例を示すブロック図である。通信システム２は、基地局装置６００と、通信装置７００とを含む。
【００８９】
通信システム２は、第１の実施形態の通信システム１に対して、基地局装置６００が新たな機能を有していたり、通信装置７００が高優先度利用者の通信装置であったり、通信装置７００が低優先度利用者の通信装置であったりする点で異なる。その他の構成要素には、図１等に示す第１の実施形態において対応する構成要素と同じ参照符号を付して説明を省略する。
【００９０】
基地局装置６００と、コアネットワーク３００とは、互いの間で通信するために互いに接続可能である。例えば、基地局装置６００は、コアネットワーク３００から送信された信号を受信する。また、例えば、基地局装置６００は、コアネットワーク３００に、通信装置７００から受信した信号を送信する。
【００９１】
基地局装置６００と、通信装置７００とは、互いの間で通信するために互いに接続可能である。例えば、基地局装置６００は、通信装置７００から送信された信号を受信する。また、例えば、基地局装置６００は、通信装置７００に信号を送信する。なお、通信装置７００は、例えば、スマートフォンや携帯電話機等の通信装置である。また、通信装置７００は、ＵＥとも称される。
【００９２】
通信装置７００は、例えば、高優先度利用者が利用する通信装置（以下、高優先度利用者の通信装置ともいう）である。また、通信装置７００は、低優先度利用者が利用する通信装置（以下、低優先度利用者の通信装置ともいう）である。高優先度利用者とは、緊急呼の利用者、リアルタイム性が必要となるサービスの利用者、特定のＶｏＬＴＥ（Ｖｏｉｃｅ  Ｏｖｅｒ  ＬＴＥ）の利用者、通話切断が起きないように優先度の高いサービスが必要となる利用者等である。また、低優先度利用者とは、高優先度利用者でない利用者である。なお、高優先度利用者の通信装置は、例えば、優先的にＲＡＣＨ（Ｒａｎｄｏｍ  Ａｃｃｅｓｓ  ＣＨａｎｎｅｌ）でＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を示す情報を基地局装置に送信しており、この優先的なＲＡＣＨの動作によって、音声通話用やパケット送受信用の無線リソースを取得するように構成されていてもよい（優先ＲＡＣＨでＩＭＳＩ情報を受信し、その音声／パケットリソースを取得する）。
【００９３】
図７は、基地局装置６００の構成例を示すブロック図である。図７に示すように、基地局装置６００は、有線通信部６１０と、リソース収容部６２０と、サービスエリア監視制御部６３０とを含む。
【００９４】
有線通信部６１０は、コアネットワーク３００と通信する。例えば、有線通信部６１０と、コアネットワーク３００とは、有線伝送路を介して互いの間で通信する。
【００９５】
リソース収容部６２０は、通信処理部６２１と、通信処理部６２２と、通信処理部６２３と、通信処理部６２４とを含む。通信処理部６２１と、図６に示すＲＲＨ４０１とは、互いに接続されている。通信処理部６２２と、図６に示すＲＲＨ４０２とは、互いに接続されている。通信処理部６２３と、図６に示すＲＲＨ４０３とは、互いに接続されている。通信処理部６２４と、図６に示すＲＲＨ４０４とは、互いに接続されている。
【００９６】
通信処理部６２１は、接続されているＲＲＨ４０１を介して、サービスエリア内にいる通信装置７００と通信する。具体的には、例えば、通信処理部６２１は、通信装置７００から、ＲＲＨ４０１を介して、所定のデータで変調された搬送波を受信する。また、具体的には、例えば、通信処理部６２１は、変調された搬送波を復調し、所定のデータに応じた情報を取得する。また、通信処理部６２１は、所定の情報（例えば、無線リソースを示す情報）に応じたデータで搬送波を変調し、ＲＲＨ４０１を介して、通信装置７００に変調された搬送波を送信する。
【００９７】
また、通信処理部６２１には、サービスエリア監視制御部６３０から入力された高優先度利用者の接続可能者数を示す情報（以下、高優先度接続可能者数情報ともいう）が記憶される。高優先度利用者の接続可能者数（以下、高優先度接続可能者数ともいう）は、通信処理部６２１と通信可能な高優先度利用者の通信装置７００の上限数である。すなわち、高優先度接続可能者数は、一つのサービスエリアで通信サービスを提供可能な高優先度利用者の通信装置７００の上限数を示す。例えば、高優先度接続可能者数は、当該上限数分の無線リソース（例えば、周波数リソースやリソースブロックなど）を示す情報に基づいて定められている。例えば、最大３０００台の高優先度利用者の通信装置７００に通信サービスを提供可能な無線リソースを利用可能な場合には、高優先度接続可能者数は、３０００となる。本例では、高優先度接続可能者数情報は、最大３０００台の高優先度利用者の通信装置７００に通信サービスを提供可能な無線リソースを示す情報である。
【００９８】
また、通信処理部６２１には、サービスエリア監視制御部６３０から入力された低優先度利用者の接続可能者数を示す情報（以下、低優先度接続可能者数情報ともいう）が記憶される。低優先度利用者の接続可能者数（以下、低優先度接続可能者数ともいう）は、通信処理部６２１と通信可能な低優先度利用者の通信装置７００の上限数である。すなわち、低優先度接続可能者数は、一つのサービスエリアでサービスを提供可能な低優先度利用者の通信装置７００の上限数を示す。例えば、低優先度接続可能者数は、当該上限数分の無線リソース（例えば、周波数リソースやリソースブロックなど）を示す情報に基づいて定められている。例えば、最大３０００台の低優先度利用者の通信装置７００に通信サービスを提供可能な無線リソースを利用可能な場合には、低優先度接続可能者数は、３０００となる。本例では、低優先度接続可能者数情報は、最大３０００台の低優先度利用者の通信装置７００に通信サービスを提供可能な無線リソースを示す情報である。
【００９９】
例えば、通信処理部６２１は、入力された高優先度接続可能者数情報に基づき、無線リソースを高優先度利用者の通信装置７００に割り当て、当該通信装置７００に、割り当てた無線リソースを示す情報を送信する。そして、通信処理部６２１と当該通信装置７００とは、当該無線リソースを使用して、互いの間で通信する。また、例えば、通信処理部６２１は、入力された低優先度接続可能者数情報に基づき、無線リソースを低優先度利用者の通信装置７００に割り当て、当該通信装置７００に、割り当てた無線リソースを示す情報を送信する。そして、通信処理部６２１と当該通信装置７００とは、当該無線リソースを使用して、互いの間で通信する。また、例えば、高優先度利用者の通信装置７００が優先的にＲＡＣＨでＩＭＳＩを示す情報を送信した場合に、通信処理部６２１は、その優先的なＲＡＣＨの動作に基づいて、音声通話用やパケット送受信用の無線リソースを当該通信装置に割り当てるように構成されていてもよい。
【０１００】
また、通信処理部６２１は、通信処理部６２１と通信可能な状態にある高優先度利用者の通信装置７００の現在の数を算出し、サービスエリア監視制御部６３０に、当該通信装置７００の現在の数を示す情報（高優先度接続者数情報ともいう）を入力する。例えば、通信処理部６２１と通信可能な範囲であるサービスエリア内に、通信処理部６２１と既知の緊急呼処理を行った高優先度利用者の通信装置７００が５００台ある場合に、高優先度接続者数情報は５００となる。例えば、通信処理部６２１と通信装置２００との間で既知の緊急呼処理が行われた場合に、通信処理部６２１には、処理した緊急呼の数が記憶される。ここで、通信処理部６２１は、所定の期間における当該緊急呼の数を、通信処理部６２１と通信可能な状態にある高優先度利用者の通信装置７００の現在の数として算出するように構成されていてもよい。なお、通信処理部６２１は、緊急呼の数から通信不能になった通信装置７００の数を減算した差の値を通信処理部６２１と通信可能な状態にある高優先度利用者の通信装置７００の現在の数として算出するように構成されていてもよい。
【０１０１】
また、例えば、通信処理部６２１と通信装置７００との間で既知の緊急呼処理が行われた場合に、通信処理部６２１には、当該通信装置７００の識別子が記憶されるように構成されていてもよい。そして、通信不能になった通信装置７００の識別子は消去される。通信処理部６２１は、記憶されている当該識別子の数を、通信処理部６２１と通信可能な状態にある高優先度利用者の通信装置７００の現在の数として算出するように構成されていてもよい。
【０１０２】
また、通信処理部６２１は、通信処理部６２１と通信可能な状態にある低優先度利用者の通信装置７００の現在の数を算出し、サービスエリア監視制御部６３０に、当該通信装置７００の現在の数を示す情報（低優先度接続者数情報ともいう）を入力する。例えば、通信処理部６２１と通信可能な範囲であるサービスエリア内に、通信処理部６２１と既知の接続処理を行った低優先度利用者の通信装置７００が５００台ある場合に、低優先度接続者数情報は５００となる。例えば、通信処理部６２１と通信装置７００との間で緊急呼処理でない、既知の接続処理が行われた場合に、通信処理部６２１には、当該接続処理の数が記憶される。通信処理部６２１は、所定の期間における当該接続処理の数を、通信処理部６２１と通信可能な状態にある低優先度利用者の通信装置７００の現在の数として算出するように構成されていてもよい。なお、通信処理部６２１は、接続処理が行われた数から通信不能になった低優先度利用者の通信装置７００の数を減算した差の値を通信処理部６２１と通信可能な状態にある低優先度利用者の通信装置７００の現在の数として算出するように構成されていてもよい。
【０１０３】
また、例えば、通信処理部６２１と通信装置７００との間で緊急呼処理でない、既知の接続処理が行われた場合に、通信処理部６２１には、当該通信装置７００の識別子が記憶される。そして、通信不能になった通信装置７００の識別子は消去される。通信処理部６２１は、記憶されている当該識別子の数を、通信処理部６２１と通信可能な状態にある低優先度利用者の通信装置７００の現在の数として算出するように構成されていてもよい。
【０１０４】
また、通信処理部６２１は、サービスエリア監視制御部６３０からの指示に基づき、通信処理部６２１と通信可能な状態にある高優先度利用者の通信装置７００の現在の数と、通信処理部６２１と通信可能な状態にある低優先度利用者の通信装置７００の現在の数とを算出し、サービスエリア監視制御部６３０に高優先度接続者数情報と、低優先度接続者数情報とを入力する。
【０１０５】
通信処理部６２２、通信処理部６２３および通信処理部６２４は、それぞれ、通信処理部６２１と同様の機能を有する。
【０１０６】
サービスエリア監視制御部６３０は、各通信処理部６２１〜６２４における、高優先度接続可能者数情報と、低優先度接続可能者数情報とを管理する。
【０１０７】
サービスエリア監視制御部６３０は、各通信処理部６２１〜６２４における、高優先度利用者の接続可能者数と、低優先度利用者の接続可能者数とを設定するために、各通信処理部６２１〜６２４に高優先度接続可能者数情報と、低優先度接続可能者数情報とを入力する。なお、サービスエリア監視制御部６３０には、各通信処理部６２１〜６２４に入力された高優先度接続可能者数情報と、低優先度接続可能者数情報とが記憶される。
【０１０８】
サービスエリア監視制御部６３０は、通信処理部６２１が利用可能な無線リソースを特定する。例えば、サービスエリア監視制御部６３０は、ＬＴＥの仕様に従って利用することのできるシステム帯域幅（例えば、周波数帯域幅）に応じて、通信処理部６２１が利用可能な無線リソースを算出するように構成されている。サービスエリア監視制御部６３０は、特定した無線リソースに基づいて、通信処理部６２１に、高優先度接続可能者数と、低優先度接続可能者数とを設定する。そして、サービスエリア監視制御部６３０は、通信処理部６２１に、高優先度接続可能者数情報と、低優先度接続可能者数情報とを入力するように構成されている。
【０１０９】
また、例えば、サービスエリア監視制御部６３０は、所定の期間に処理した緊急呼の数や所定の期間に処理した通常の接続処理の数に基づいて、高優先度接続可能者数情報と、低優先度接続可能者数とを設定するように構成されていてもよい。具体的には、例えば、一のサービスエリアにおいて、所定の期間に多くの緊急呼処理が行われた場合には、当該一のサービスエリアを通信可能な範囲とする通信処理部６２１が他の通信処理部よりも多くの無線リソースを利用できるように、サービスエリア監視制御部６３０は、通信処理部６２１に、他の通信処理部に設定されている高優先度接続可能者数よりも大きい高優先度接続可能者数を設定する。また、具体的には、例えば、一のサービスエリアにおいて、所定の期間に多くの通常の接続処理が行われた場合には、当該一のサービスエリアを通信可能な範囲とする通信処理部６２１が他の通信処理部よりも多くの無線リソースを利用できるように、サービスエリア監視制御部６３０は、通信処理部６２１に、他の通信処理部に設定されている低優先度接続可能者数よりも大きい低優先度接続可能者数を設定する。
【０１１０】
サービスエリア監視制御部６３０には、高優先度利用者の接続者数閾値を示す情報と、低優先度利用者の接続者数閾値を示す情報とが記憶される。例えば、高優先度利用者の接続者数閾値と低優先度利用者の接続者数閾値とは、オペレータ等の管理者によって予めサービスエリア監視制御部６３０に設定される。サービスエリア監視制御部６３０は、高優先度接続者数情報によって示されている値が、高優先度利用者の接続者数閾値に達しているか否かを判定する。また、サービスエリア監視制御部６３０は、低優先度接続者数情報によって示されている値が、低優先度利用者の接続者数閾値に達しているか否かを判定する。なお、高優先度利用者の接続者数閾値は、高優先度接続可能者数情報によって示されている値よりも小さい値に設定される。また、低優先度利用者の接続者数閾値は、低優先度接続可能者数情報によって示されている値よりも小さい値に設定される。
【０１１１】
サービスエリア監視制御部６３０は、各通信処理部６２１〜６２４に、高優先度接続者数情報と、低優先度接続者数情報との入力を要求する。例えば、サービスエリア監視制御部６３０は、通信処理部６２１に、高優先度接続者数情報と、低優先度接続者数情報との入力を要求する指示を所定のタイミングで入力する。具体的には、サービスエリア監視制御部６３０は、例えば、５分毎に、通信処理部６２１に当該指示を入力する。
【０１１２】
なお、サービスエリア監視制御部６３０は、例えば、当該指示を入力する間隔を変更するように構成されていてもよい。具体的には、サービスエリア監視制御部６３０は、通信処理部６２１から入力された高優先度接続者数情報によって示されている値が所定の閾値以上となった場合に、例えば、当該指示を入力する間隔を短くするように、当該間隔を変更する。また、具体的には、サービスエリア監視制御部６３０は、通信処理部６２１から入力された高優先度接続者数情報によって示されている値が所定の閾値未満となった場合に、例えば、当該指示を入力する間隔を長くするように、当該間隔を変更する。
【０１１３】
また、例えば、サービスエリア監視制御部６３０は、通信処理部６２１から入力された高優先度接続者数情報によって示されている値が所定の閾値以上となった場合に、所定のタイミングが到来する前に、当該接続者数情報の入力から所定の時間（例えば１分）が経過した後に、通信処理部６２１に高優先度接続者数情報の入力を要求する指示を入力する。具体的には、５分毎に当該指示を通信処理部６２１に入力しているサービスエリア監視制御部６３０は、通信処理部６２１から入力された高優先度接続者数情報によって示されている値が所定の閾値以上となった場合に、例えば、当該接続者数情報の入力から１分が経過した後に、通信処理部６２１に高優先度接続者数情報の入力を要求する指示を入力する。
【０１１４】
なお、サービスエリア監視制御部６３０から入力された指示によらずに、通信処理部６２１は、通信処理部６２１と通信可能な状態にある高優先度利用者の通信装置７００の現在の数が所定の閾値以上となった場合に、サービスエリア監視制御部６３０に、高優先度接続者数情報を入力するように構成されていてもよい。
【０１１５】
サービスエリア監視制御部６３０には、各通信処理部６２１〜６２４から入力された高優先度接続者数情報と低優先度接続者数情報とが記憶される。
【０１１６】
サービスエリア監視制御部６３０は、高優先度利用者の接続者数閾値と、各通信処理部６２１〜６２４から入力された高優先度接続者数情報とに基づき、高優先度接続者数情報によって示されている値が、高優先度利用者の接続者数閾値に達しているか否かを判定する。例えば、サービスエリア監視制御部６３０は、各通信処理部６２１〜６２４から高優先度接続者数情報と、低優先度接続者数情報とが入力された場合に、当該判定を行うように構成されていてもよい。
【０１１７】
例えば、サービスエリア監視制御部６３０は、通信処理部６２１から入力された高優先度接続者数情報によって示されている値が高優先度利用者の接続者数閾値に達していると判定した場合に、各通信処理部６２２〜６２４に設定されている低優先度接続可能者数と、各通信処理部６２２〜６２４から入力された低優先度接続者数情報とに基づき、当該接続者数情報によって示されている値が当該接続可能者数情報によって示されている値に達していない通信処理部を特定する。すなわち、サービスエリア監視制御部６３０は、通信サービスを提供可能な低優先度利用者の通信装置７００の数に余裕のある通信処理部を特定する。
【０１１８】
サービスエリア監視制御部６３０は、特定した通信処理部の低優先度接続可能者数情報によって示されている値から所定の値を減算し、通信処理部６２１に設定されている高優先度接続可能者数の値に、当該所定の値を加算する。例えば、サービスエリア監視制御部６３０は、特定した通信処理部が利用可能な低優先度利用者の通信装置７００用の無線リソースの一部を利用不可に設定して、通信処理部６２１が利用可能な高優先度利用者の通信装置７００用の無線リソースに追加する。
【０１１９】
図８を用いて、基地局装置６００の具体的な動作を説明する。図８は、サービスエリア監視制御部６３０が管理する各通信処理部６２１〜６２４に設定されている接続可能者数の例を示す説明図である。
【０１２０】
図８に示すように、サービスエリア監視制御部６３０によって、例えば、各通信処理部６２１〜６２４には、接続可能者数として、３０００が設定されているとする。そして、サービスエリア監視制御部６３０によって、通信処理部６２１には、例えば、接続可能者数のうち、高優先度接続可能者数として、２４００が設定され、低優先度接続可能者数として、６００が設定されているとする。なお、この場合には、通信処理部６２１は、高優先度利用者の通信装置７００との通信のために、最大２４００台の通信装置７００に通信サービスを提供可能な無線リソースを利用することができる。また、通信処理部６２１は、低優先度利用者の通信装置７００との通信のために、最大６００台の通信装置７００に通信サービスを提供可能な無線リソースを利用することができる。
【０１２１】
また、図８に示すように、サービスエリア監視制御部６３０によって、例えば、通信処理部６２２には、接続可能者数として、３０００が設定されているとする。そして、サービスエリア監視制御部６３０によって、通信処理部６２２には、例えば、接続可能者数のうち、高優先度接続可能者数として、１０００が設定され、低優先度接続可能者数として、２０００が設定されているとする。
【０１２２】
また、サービスエリア監視制御部６３０によって、各通信処理部６２１〜６２４には、高優先度利用者の接続者数閾値として、２４００が設定されているとする。さらに、サービスエリア監視制御部６３０によって、各通信処理部６２１〜６２４には、低優先度利用者の接続者数閾値として、６００が設定されているとする。
【０１２３】
このとき、通信処理部６２１と通信可能な状態にある高優先度利用者の通信装置７００の現在の数が２４００となり、さらに、通信処理部６２２と通信可能な状態にある低優先度利用者の通信装置７００の現在の数が５００であった場合における基地局装置６００の具体的な動作は下記のとおりである。
【０１２４】
サービスエリア監視制御部６３０は、各通信処理部６２１〜６２４における、高優先度接続者数情報によって示されている値と、低優先度接続者数情報によって示されている値とを特定する。すなわち、サービスエリア監視制御部６３０は、各通信処理部６２１〜６２４と通信可能な状態にある高優先度利用者の通信装置７００の現在の数と、各通信処理部６２１〜６２４と通信可能な状態にある低優先度利用者の通信装置７００の現在の数とを特定する。
【０１２５】
そして、サービスエリア監視制御部６３０は、通信処理部６２１と通信可能な状態にある高優先度利用者の通信装置７００の現在の数（２４００）が高優先度利用者の接続者数閾値（２４００）に達していると判定する。
【０１２６】
さらに、各通信処理部６２２〜６２４に設定されている低優先度接続可能者数の値と、各通信処理部６２２〜６２４から入力された低優先度接続者数情報によって示されている値とに基づき、サービスエリア監視制御部６３０は、通信処理部６２１とは異なる他の通信処理部を特定する。
【０１２７】
例えば、サービスエリア監視制御部６３０は、通信可能な状態にある低優先度利用者の通信装置７００の現在の数が低優先度接続可能者数情報によって示されている値（２０００）に達していない通信処理部６２２を特定する。具体的には、例えば、サービスエリア監視制御部６３０は、通信処理部６２２に設定されている低優先度接続可能者数の値（２０００）と、通信処理部６２２から入力された低優先度接続者数情報によって示されている値（５００）とに基づいて、通信処理部６２２を特定する。すなわち、サービスエリア監視制御部６３０は、通信サービスを提供可能な低優先度利用者の通信装置７００の数に余裕のある通信処理部として、通信処理部６２２を特定する。
【０１２８】
そして、サービスエリア監視制御部６３０は、通信処理部６２２に設定されている低優先度接続可能者数の値から１０００を減算し、通信処理部６２１に設定されている高優先度接続可能者数の値に１０００を加算する。サービスエリア監視制御部６３０は、通信処理部６２１および通信処理部６２２に、変更後の接続可能者数情報を入力する。
【０１２９】
その結果、通信処理部６２１には、接続可能者数として３４００が設定され、通信処理部６２２には、接続可能者数として１０００が設定されることになる。すなわち、例えば、通信処理部６２１は、最大３４００台の高優先度利用者の通信装置７００に通信サービスを提供可能な無線リソースを使用することができる。また、通信処理部６２２は、最大１０００台の低優先度利用者の通信装置７００に通信サービスを提供可能な無線リソースを使用することになる。このように、サービスエリア監視制御部６３０は、通信処理部６２１によって高優先度利用者の通信装置７００との通信に用いられる無線リソースと、通信処理部６２１によって低優先度利用者の通信装置７００との通信に用いられる無線リソースとの割合を変更する。また、サービスエリア監視制御部６３０は、通信処理部６２２によって高優先度利用者の通信装置７００との通信に用いられる無線リソースと、通信処理部６２２によって低優先度利用者の通信装置７００との通信に用いられる無線リソースとの割合を変更する。
【０１３０】
図９は、基地局装置６００が実行する接続者数情報の報告処理を示すフローチャートである。
【０１３１】
サービスエリア監視制御部６３０は、リソース収容部６２０に、高優先度接続者数情報と、低優先度接続者数情報との入力を要求する指示を入力する（ステップＳ３０１）。
【０１３２】
リソース収容部６２０の各通信処理部６２１〜６２４は、入力された指示に基づいて、通信可能な状態にある高優先度利用者の通信装置７００の現在の数と、通信可能な状態にある低優先度利用者の通信装置７００の現在の数とを算出する（ステップＳ３０２）。
【０１３３】
リソース収容部６２０の各通信処理部６２１〜６２４は、サービスエリア監視制御部６３０に高優先度接続者数情報と、低優先度接続者数情報とを入力する（ステップＳ３０３）。サービスエリア監視制御部６３０には、各通信処理部６２１〜６２４から、高優先度接続者数情報と、低優先度接続者数情報とが入力される。
【０１３４】
図１０は、基地局装置６００が実行する接続可能者数情報の変更処理を示すフローチャートである。
【０１３５】
サービスエリア監視制御部６３０は、高優先度利用者の接続者数閾値と、リソース収容部６２０の各通信処理部６２１〜６２４から入力された高優先度接続者数情報とに基づき、各通信処理部６２１〜６２４と通信可能な状態にある高優先度利用者の通信装置７００の現在の数が、高優先度利用者の接続者数閾値に達しているか否かを判定する（ステップＳ４０１）。本例では、サービスエリア監視制御部６３０は、通信処理部６２１と通信可能な状態にある高優先度利用者の通信装置７００の現在の数が、高優先度利用者の接続者数閾値に達していると判定したとする。
【０１３６】
サービスエリア監視制御部６３０は、通信処理部６２１と通信可能な状態にある高優先度利用者の通信装置７００の現在の数が高優先度利用者の接続者数閾値に達していると判定した場合（ステップＳ４０１のＹ）に、各通信処理部６２２〜６２４に設定されている低優先度接続可能者数と、各通信処理部６２２〜６２４から入力された低優先度接続者数情報とに基づき、低優先度接続者数情報によって示されている値が低優先度接続可能者数情報によって示されている値に達していない通信処理部を特定する（ステップＳ４０２）。本例では、サービスエリア監視制御部６３０は、通信処理部６２２を特定したとする。
【０１３７】
サービスエリア監視制御部６３０は、ステップＳ４０２の処理で特定した通信処理部６２２に、低優先度接続可能者数の変更を指示する（ステップＳ４０３）。本例では、サービスエリア監視制御部６３０は、低優先度接続可能者数を２０００から１０００に変更するために、リソース収容部６２０の通信処理部６２２に、１０００を示す低優先度接続可能者数情報を入力する。例えば、サービスエリア監視制御部６３０は、特定した通信処理部６２２に、１０００台の低優先度利用者の通信装置７００に通信サービスを提供可能な無線リソースを示す情報を入力する。
【０１３８】
リソース収容部６２０の通信処理部６２２は、サービスエリア監視制御部６３０から入力された低優先度接続可能者数情報に基づき、低優先度接続可能者数を変更する（ステップＳ４０４）。例えば、通信処理部６２２は、サービスエリア監視制御部６３０から入力された低優先度接続可能者数情報に基づき、１０００台の通信装置７００に通信サービスを提供可能な無線リソースを用いて、通信処理部６２２と通信可能な状態にある低優先度利用者の通信装置７００に無線リソースを割り当てる。そして、通信処理部６２２は、当該低優先度利用者の通信装置７００に、割り当てた無線リソースを示す低優先度接続可能者数情報を送信する。
【０１３９】
リソース収容部６２０の通信処理部６２２は、サービスエリア監視制御部６３０に低優先度接続可能者数の変更が完了した旨を通知する（ステップＳ４０５）。
【０１４０】
通信処理部６２２から低優先度接続可能者数を変更した旨が通知された場合に、サービスエリア監視制御部６３０は、リソース収容部６２０の通信処理部６２１に、高優先度接続可能者数の変更を指示する（ステップＳ４０６）。本例では、サービスエリア監視制御部６３０は、高優先度接続可能者数を２４００から３４００に変更するために、通信処理部６２１に、３４００を示す高優先度接続可能者数情報を入力する。例えば、サービスエリア監視制御部６３０は、通信処理部６２１に、３４００台の高優先度利用者の通信装置７００に通信サービスを提供可能な無線リソースを示す高優先度接続可能者数情報を入力する。
【０１４１】
リソース収容部６２０の通信処理部６２１は、サービスエリア監視制御部６３０から入力された高優先度接続可能者数情報に基づき、高優先度接続可能者数を変更する（ステップＳ４０７）。例えば、通信処理部６２１は、サービスエリア監視制御部６３０から入力された高優先度接続可能者数情報に基づき、３４００台の通信装置７００に通信サービスを提供可能な無線リソースを用いて、通信処理部６２１と通信可能な状態にある高優先度利用者の通信装置７００に無線リソースを割り当てる。そして、通信処理部６２１は、当該高優先度利用者の通信装置７００に、割り当てた無線リソースを示す情報を送信する。
【０１４２】
リソース収容部６２０の通信処理部６２１は、サービスエリア監視制御部６３０に高優先度接続可能者数の変更が完了した旨を通知する（ステップＳ４０８）。
【０１４３】
サービスエリア監視制御部６３０は、各通信処理部６２１〜６２４と通信可能な状態にある高優先度利用者の通信装置７００の現在の数が高優先度利用者の接続者数閾値に達していないと判定した場合（ステップＳ４０１のＮ）には、各通信処理部６２１〜６２４に接続可能者数の変更を指示せずに処理を終了する。各通信処理部６２１〜６２４は、各通信装置７００と通信する。
【０１４４】
本実施形態によれば、基地局装置６００は、一の通信処理部と通信可能な状態にある高優先度利用者の通信装置７００の現在の数に基づいて、他の通信処理部に設定されている低優先度接続可能者数の値から所定の値を減算し、当該一の通信処理部に設定されている高優先度接続可能者数の値に当該所定の値を加算する。すなわち、基地局装置６００は、例えば、一の通信処理部と通信可能な状態にある高優先度利用者の通信装置７００の現在の数に基づいて、他の通信処理部によって低優先度利用者の通信装置７００との通信に用いられる無線リソースの一部を利用不可に設定して、一の通信処理部によって高優先度利用者の通信装置７００との通信に用いられる無線リソースに追加する。
【０１４５】
このような構成によれば、基地局装置は、複数の通信装置と適切に通信することができる。例えば、通信サービスを提供可能な高優先度利用者の通信装置の数が上限値に近づいている通信処理部に対して、新たに高優先度利用者の通信装置が通信しようとした場合でも、当該通信処理部は、新たに利用可能となった無線リソースを活用して、当該通信装置と通信することができる。また、例えば、突発的に一のサービスエリア内における高優先度利用者の通信装置の数が増加した場合でも、当該一のサービスエリアにおいて、通信サービスを提供可能な高優先度利用者の通信装置の上限値を増加させることができるので、通信サービスを受けられる高優先度利用者の通信装置の数を増加させることができる。
【０１４６】
本実施形態では、サービスエリア監視制御部６３０は、各通信処理部６２１〜６２４と通信可能な状態にある高優先度利用者の通信装置７００の現在の数が、高優先度利用者の接続者数閾値に達しているか否かを判定したが、サービスエリア監視制御部６３０は、各通信処理部６２１〜６２４に設定されている高優先度接続可能者数の値と、各通信処理部６２１〜６２４と通信可能な状態にある高優先度利用者の通信装置７００の現在の数との差分値が所定の閾値未満となっているか否かを判定するように構成されていてもよい。すなわち、サービスエリア監視制御部６３０は、一のサービスエリアにおいて、通信サービスを提供可能な高優先度利用者の通信装置７００の残りの数が所定の閾値未満となっているか否かを判定するように構成されていてもよい。
【０１４７】
また、本実施形態では、通信処理部６２２に設定されている低優先度接続可能者数の値から１０００を減算したが、減算する値は、１０００でなくてもよい。
【０１４８】
例えば、サービスエリア監視制御部６３０は、低優先度接続可能者数情報によって示されている値と、低優先度接続者数情報によって示されている値とに基づいて、減算する値を算出するように構成されていてもよい。例えば、サービスエリア監視制御部６３０は、所定の値が減算された低優先度接続可能者数情報によって示されている値が、低優先度接続者数情報によって示されている値より小さくならないように、当該所定の値を決定するように構成されていてもよい。
【０１４９】
具体的には、例えば、通信処理部６２２に設定されている低優先度接続可能者数の値が２０００で、通信処理部６２２にから入力された低優先度接続者数情報によって示されている値が５００であった場合に、通信処理部６２２と通信可能な状態にある低優先度利用者の通信装置７００に割り当てられる無線リソース以外の無線リソースを通信処理部６２１が利用可能とするために、サービスエリア監視制御部６３０は、通信処理部６２２に設定されている低優先度接続可能者数の値から１５００を減算するように構成されていてもよい。
【０１５０】
また、本実施形態では、一つの通信処理部に設定されている低優先度接続可能者数の値から所定の値が減算されたが、複数の通信処理部に設定されている低優先度接続可能者数の値から所定の値が減算されるように構成されていてもよい。例えば、サービスエリア監視制御部６３０は、複数の通信処理部に設定されている低優先度接続可能者数に基づき、当該複数の通信処理部に設定されている低優先度接続可能者数の値から所定の値を減算し、当該複数の通信処理部とは異なる他の通信処理部に設定されている高優先度接続可能者数の値に当該所定の値を加算するように構成されていてもよい。
【０１５１】
具体的には、例えば、通信処理部６２２には、低優先度接続可能者数として、２０００が設定され、通信処理部６２３には、低優先度接続可能者数として、１０００が設定されているとする。また、通信処理部６２２と通信可能な状態にある通信装置７００の現在の数が５００であり、通信処理部６２３と通信可能な状態にある通信装置７００の現在の数が５００であるとする。
【０１５２】
このとき、サービスエリア監視制御部６３０は、通信処理部６２２に設定されている低優先度接続可能者数の値（２０００）と、通信処理部６２３に設定されている低優先度接続可能者数の値（１０００）と、通信処理部６２２および通信処理部６２３から入力された接続者数情報によって示されている値（５００）とに基づいて、通信処理部６２２と、通信処理部６２３とを特定する。すなわち、サービスエリア監視制御部６３０は、通信サービスを提供可能な通信装置７００の数に余裕のある通信処理部として、通信処理部６２２と、通信処理部６２３とを特定する。
【０１５３】
そして、サービスエリア監視制御部６３０は、通信処理部６２２に設定されている低優先度接続可能者数の値から５００を減算し、通信処理部６２３に設定されている低優先度接続可能者数の値から５００を減算し、通信処理部６２１に設定されている高優先度接続可能者数の値に１０００を加算するように構成されていてもよい。
【０１５４】
また、本実施形態では、高優先度接続者数情報によって示されている値が高優先度利用者の接続者数閾値に達した場合に、通信処理部６２２に設定されている低優先度接続可能者数の値から所定の値が減算され、通信処理部６２１に設定されている高優先度接続可能者数の値に当該所定の値が加算される例が示された。しかしながら、低優先度接続者数情報によって示されている値が低優先度利用者の接続者数閾値に達した場合に、通信処理部６２２に設定されている高優先度接続可能者数の値から所定の値が減算され、通信処理部６２１に設定されている低優先度接続可能者数の値に当該所定の値が加算されるように構成されていてもよい。サービスエリア監視制御部６３０は、例えば、通信処理部６２１によって高優先度利用者の通信装置７００との通信に用いられる無線リソースと、通信処理部６２１によって低優先度利用者の通信装置７００との通信に用いられる無線リソースとの割合を変更する。また、サービスエリア監視制御部６３０は、例えば、通信処理部６２２によって高優先度利用者の通信装置７００との通信に用いられる無線リソースと、通信処理部６２２によって低優先度利用者の通信装置７００との通信に用いられる無線リソースとの割合を変更する。
【０１５５】
また、本実施形態では、通信処理部６２２に設定されている低優先度接続可能者数の値から所定の値が減算されたが、通信処理部６２１に設定されている低優先度接続可能者数の値から所定の値が減算されるように構成されていてもよい。
【０１５６】
具体的には、例えば、サービスエリア監視制御部６３０は、通信処理部６２１から入力された高優先度接続者数情報によって示されている値が高優先度利用者の接続者数閾値に達した場合に、通信処理部６２１に設定されている低優先度接続可能者数の値から所定の値を減算し、通信処理部６２１に設定されている高優先度接続可能者数の値に当該所定の値を加算するように構成されていてもよい。
【０１５７】
また、サービスエリア監視制御部６３０は、通信処理部６２１の低優先度接続者数情報によって示されている値が低優先度利用者の接続者数閾値に達した場合に、通信処理部６２１に設定されている高優先度接続可能者数の値から所定の値を減算し、通信処理部６２１に設定されている低優先度接続可能者数の値に当該所定の値を加算するように構成されていてもよい。
【０１５８】
また、サービスエリア監視制御部６３０は、特定した通信処理部６２２と通信可能な状態にある低優先度利用者の通信装置７００の現在の数が０の場合には、当該通信処理部６２２に設定されている低優先度接続可能者数の値を、通信処理部６２１に設定されている高優先度接続可能者数の値に全て加算するように構成されていてもよい。
【０１５９】
また、サービスエリア監視制御部６３０は、高優先度利用者の接続者数閾値と、低優先度利用者の接続者数閾値とを変更するように構成されていてもよい。
【０１６０】
具体的には、例えば、サービスエリア監視制御部６３０によって、例えば、通信処理部６２１には、接続可能者数として、３０００が設定されているとする。また、通信処理部６２１には、例えば、接続可能者数のうち、高優先度接続可能者数として、１８００が設定され、低優先度接続可能者数として、１２００が設定されているとする。そして、通信処理部６２１には、例えば、高優先度利用者の接続者数閾値として、１８００が設定され、低優先度利用者の接続者数閾値として、１２００が設定されているとする。
【０１６１】
このとき、通信処理部６２１と通信可能な状態にある低優先度利用者の通信装置７００の現在の数が１２００となり、さらに、通信処理部６２１と通信可能な状態にある高優先度利用者の通信装置７００の現在の数が５００であった場合における基地局装置６００の具体的な動作は下記のとおりである。
【０１６２】
サービスエリア監視制御部６３０は、通信処理部６２１から入力された低優先度接続者数情報と、低優先度利用者の接続者数閾値とに基づき、通信処理部６２１と通信可能な状態にある低優先度利用者の通信装置７００の現在の数（１２００）が低優先度利用者の接続者数閾値（１２００）に達していると判定する。
【０１６３】
そして、例えば、サービスエリア監視制御部６３０は、高優先度接続可能者数情報によって示されている値（１８００）および高優先度接続者数情報によって示されている値（５００）に基づいて、通信処理部６２１を特定する。すなわち、サービスエリア監視制御部６３０は、通信サービスを提供可能な高優先度利用者の通信装置７００の数に余裕のある通信処理部として、通信処理部６２１を特定する。
【０１６４】
サービスエリア監視制御部６３０は、通信処理部６２１に設定されている高優先度接続可能者数の値から３００を減算し、通信処理部６２１に設定されている低優先度接続可能者数の値に３００を加算する。サービスエリア監視制御部６３０は、通信処理部６２１に、変更後の高優先度接続可能者数情報および変更後の低優先度接続可能者数情報を入力する。
【０１６５】
さらに、サービスエリア監視制御部６３０は、通信処理部６２１に設定されている高優先度利用者の接続者数閾値を１８００から１５００に変更し、低優先度利用者の接続者数閾値を１２００から１５００に変更する。サービスエリア監視制御部６３０には、変更後の高優先度利用者の接続者数閾値および変更後の低優先度利用者の接続者数閾値が記憶される。
【０１６６】
このような構成によれば、サービスエリア監視制御部６３０は、変更後の接続者数閾値に基づいて、無線リソースを適切に管理することができる。
【０１６７】
有線通信部６１０は、送信回路、および受信回路によって実現される。
【０１６８】
リソース収容部６２０および各通信処理部６２１〜６２４は、プログラム制御に従って処理を実行するＣＰＵ、複数の回路、メモリ、送信回路、および受信回路、アンテナ等によって実現される。
【０１６９】
例えば、リソース収容部６２０および各通信処理部６２１〜６２４は、ＣＰＵ、複数の回路およびメモリ等の処理リソースを用いて、所定の処理を実行するように構成されていてもよい。
【０１７０】
また、サービスエリア監視制御部６３０は、各通信処理部６２１〜６２４と、通信装置７００との間の通信において想定されるデータトラフィックの量や処理の負荷に応じて、リソース収容部６２０および各通信処理部６２１〜６２４によって利用される処理リソースの量（例えば、ＣＰＵの数、メモリの数等）を決定するように構成されていてもよい。例えば、サービスエリア監視制御部６３０は、通信処理部６２１によって行われる信号処理の負荷に応じて、通信処理部６２１によって利用される処理リソースの量を決定する。そして、例えば、通信処理部６２１は、当該処理リソースを用いて、通信装置７００への無線リソースの割り当て、搬送波の変調処理、搬送波の復調処理、通信装置７００への信号の送信処理、通信装置７００からの信号の受信処理および通信処理部６２１と通信装置７００との間で互いに通信するための通信処理等を行う。
【０１７１】
また、例えば、各通信処理部６２１〜６２４に設定される高優先度接続可能者数や低優先度接続可能者数は、処理リソースの量に基づいて決定されるように構成されていてもよい。例えば、サービスエリア監視制御部６３０は、リソース収容部６２０および通信処理部６２１〜６２４において利用可能な処理リソースの量に基づいて、各通信処理部６２１〜６２４に接続可能者数を設定する。具体的には、例えば、通信処理部６２１と通信可能なサービスエリアにおいて、最大２４００台の高優先度利用者の通信装置７００に通信サービスが提供される場合には、通信処理部６２１と、最大２４００台の高優先度利用者の通信装置７００との間の通信において想定されるデータトラフィックの量や処理の負荷に応じて、通信処理部６２１が当該データトラフィック等を処理できるように、サービスエリア監視制御部６３０は、通信処理部６２１〜６２４によって利用可能な処理リソースの総量のうち、通信処理部６２１によって利用される処理リソースの量を決定し、通信処理部６２１の高優先度接続可能者数を２４００に設定する。
【０１７２】
また、サービスエリア監視制御部６３０は、各通信処理部６２１〜６２４に設定されている高優先度接続可能者数や低優先度接続可能者数を変更する場合に、各通信処理部６２１〜６２４によって利用されている処理リソースの量の比率を変更するように構成されていてもよい。
【０１７３】
具体的には、例えば、図１０で示した接続可能者数情報の変更処理のように、通信処理部６２１に設定されている高優先度接続可能者数が２４００から３４００に変更される場合に、サービスエリア監視制御部６３０は、通信処理部６２１と、最大２４００台の高優先度利用者の通信装置７００との間の通信において想定されるデータトラフィックの量や処理の負荷に応じて決定された処理リソースの量を、通信処理部６２１と、最大３４００台の高優先度利用者の通信装置７００との間の通信において想定されるデータトラフィックの量や処理の負荷に応じた処理リソースの量に変更する。
【０１７４】
また、図１０で示した接続可能者数情報の変更処理のように、通信処理部６２２に設定されている低優先度接続可能者数が２０００から１０００に変更される場合に、サービスエリア監視制御部６３０は、通信処理部６２２と、最大２０００台の低優先度利用者の通信装置７００との間の通信において想定されるデータトラフィックの量や処理の負荷に応じて決定された処理リソースの量を、通信処理部６２２と、最大１０００台の低優先度利用者の通信装置７００との間の通信において想定されるデータトラフィックの量や処理の負荷に応じた処理リソースの量に変更する。例えば、サービスエリア監視制御部６３０は、通信処理部６２２によって利用される処理リソースの量を減少させ、当該処理リソースを、通信処理部６２１によって利用される処理リソースの量に追加する。
【０１７５】
サービスエリア監視制御部６３０は、例えば、プログラム制御に従って処理を実行するＣＰＵ、複数の回路、メモリ等によって実現される。
【０１７６】
＜第３の実施形態＞
次に、第３の実施形態の基地局１０について、図面を参照して説明する。
【０１７７】
図１１は、第３の実施形態の基地局１０の構成例を示すブロック図である。図１１に示すように、基地局１０は、通信部１１と、通信部１２と、追加部１３とを含む。
【０１７８】
基地局１０は、例えば、図１に示す第１の実施形態における基地局装置１００およびＲＲＨ４０１〜４０４に相当する。また、基地局１０は、例えば、図６に示す第２の実施形態における基地局装置６００およびＲＲＨ４０１〜４０４に相当する。
【０１７９】
通信部１１は、例えば、図２に示す第１の実施形態における通信処理部１２１に相当する。また、通信部１１は、例えば、図７に示す第２の実施形態における通信処理部６２１に相当する。また、通信部１２は、例えば、図２に示す第１の実施形態における通信処理部１２２に相当する。また、通信部１２は、例えば、図７に示す第２の実施形態における通信処理部６２２に相当する。
【０１８０】
追加部１３は、例えば、図２に示す第１の実施形態におけるサービスエリア監視制御部１３０または図７に示す第２の実施形態におけるサービスエリア監視制御部６３０に相当する。
【０１８１】
通信部１１は、複数の通信装置と通信する。また、通信部１２は、複数の通信装置と通信する。なお、複数の通信装置は、例えば、図１に示す第１の実施形態における通信装置２００または図６に示す第２の実施形態における通信装置７００に相当する。
【０１８２】
追加部１３は、通信部１１が通信可能な通信装置の数が所定の閾値以上となった場合に、通信部１１によって当該通信装置との通信に用いられるリソースに、通信部１２によって用いられるリソースの少なくとも一部を追加する。なお、通信部１１によって通信装置との通信に用いられるリソースは、例えば、第１の実施形態における通信処理部１２１に設定されている接続可能者数の値に基づく無線リソース、第１の実施形態における通信処理部１２１によって利用される処理リソース、第２の実施形態における通信処理部６２１に設定されている高優先度接続可能者数の値に基づく無線リソースまたは第２の実施形態における通信処理部６２１によって利用される処理リソースに相当する。また、通信部１２によって用いられるリソースは、例えば、第１の実施形態における通信処理部１２２に設定されている接続可能者数の値に基づく無線リソース、第１の実施形態における通信処理部１２２によって利用される処理リソース、第２の実施形態における通信処理部６２２に設定されている低優先度接続可能者数の値に基づく無線リソースまたは第２の実施形態における通信処理部６２２によって利用される処理リソースに相当する。また、所定の閾値は、例えば、第１の実施形態における接続者数閾値または第２の実施形態における高優先度利用者の接続者数閾値に相当する。また、通信部１１が通信可能な通信装置の数は、例えば、第１の実施形態における通信処理部１２１と通信可能な状態にある通信装置２００の現在の数に相当する。また、通信部１１が通信可能な通信装置の数は、例えば、第２の実施形態における通信処理部６２１と通信可能な状態にある高優先度利用者の通信装置７００の現在の数に相当する。
【０１８３】
本実施形態によれば、基地局１０は、複数の通信装置と通信する。また、基地局１０は、基地局１０が通信可能な通信装置の数が所定の閾値以上となった場合に、基地局１０によって当該通信装置との通信に用いられるリソースに、基地局１０によって用いられるリソースの少なくとも一部を追加する。
【０１８４】
したがって、基地局１０は、複数の通信装置と適切に通信することができる。
【０１８５】
以上、本発明の実施形態を説明したが、本発明は、上記したそれぞれの実施形態に限定されるものではない。本発明は、各実施形態の変形、置換および調整に基づいて実施できる。また、本発明は、各実施形態を任意に組合せて実施することもできる。すなわち、本発明は、本明細書の全ての開示内容、技術的思想に従って実現できる各種変形、修正を含む。なお、各図面に付記した図面参照符号は、理解を助けるための一例として各要素に便宜上付記したものであり、本発明を図示の態様に限定することを意図するものではない。また、図面中の矢印の向きは、一例を示すものであり、ブロック間の信号の向きを限定するものではない。
【０１８６】
上記の実施形態の一部又は全部は、以下の付記のようにも記載されうるが、以下には限られない。
（付記１）
複数の通信装置と通信する複数の通信手段と、
一の通信手段が通信可能な通信装置の数が所定の閾値以上となった場合に、前記一の通信手段によって前記通信装置との通信に用いられるリソースに、他の通信手段によって用いられるリソースの少なくとも一部を追加する追加手段と
を備える基地局。
（付記２）
前記一の通信手段と通信可能な範囲を示す一のセルにおいて、前記一の通信手段が通信可能な前記通信装置の数が所定の閾値以上となった場合に、前記追加手段は、前記一のセルにおいて、前記一の通信手段によって前記通信装置との通信に用いられるリソースに、前記他の通信手段と通信可能な範囲を示す他のセルにおいて、前記他の通信手段によって用いられるリソースの少なくとも一部を追加する
付記１に記載の基地局。
（付記３）
前記一の通信手段が通信可能な前記通信装置の数が所定の閾値以上となった場合に、前記追加手段は、前記一の通信手段によって前記通信装置との通信に用いられるリソースに、複数の前記他の通信手段によって用いられるリソースの少なくとも一部を追加する
付記１または２に記載の基地局。
（付記４）
前記複数の通信装置には、それぞれ優先度が設定され、
前記追加手段は、前記一の通信手段において、より高い優先度が設定された通信装置との通信に用いられるリソースと、より低い優先度が設定された通信装置との通信に用いられるリソースとの割合を変更し、前記他の通信手段において、より高い優先度が設定された通信装置との通信に用いられるリソースと、より低い優先度が設定された通信装置との通信に用いられるリソースとの割合を変更する
付記１乃至３のいずれか１項に記載の基地局。
（付記５）
前記一の通信手段が通信可能な前記通信装置の数が所定の閾値以上となった場合に、前記所定の閾値を変更する変更手段をさらに備える
付記１乃至４のいずれか１項に記載の基地局。
（付記６）
前記一の通信手段と通信可能な範囲を示す一のセルにおいて、前記一の通信手段が通信可能な前記通信装置の数が所定の閾値以上となった場合に、前記追加手段は、前記一のセルにおいて、前記一の通信手段によって前記通信装置との通信に用いられるリソースに、前記一のセルにおいて、前記一の通信手段によって用いられる他のリソースの少なくとも一部を追加する
付記１乃至５のいずれか１項に記載の基地局。
（付記７）
前記他の通信手段によって用いられるリソースは、当該リソースを用いる通信手段が通信可能な通信装置の数の上限値と、前記通信手段と通信可能な状態にある前記通信装置の現在の数とに基づいて特定される
付記１乃至６のいずれか１項に記載の基地局。
（付記８）
前記追加手段は、前記他の通信手段によって用いられるリソースから所定のリソースを削除し、前記通信装置との通信に用いられるリソースに、前記所定のリソースを追加する
付記１乃至７のいずれか１項に記載の基地局。
（付記９）
付記１乃至８のいずれか１項に記載の基地局と、
前記基地局と通信する前記通信装置と、
前記基地局と通信する他の通信装置と
を備える通信システム。
（付記１１）
複数の通信装置と通信し、
通信可能な通信装置の数が所定の閾値以上となった場合に、前記通信装置との通信に用いられるリソースに、他のリソースの少なくとも一部を追加する
通信方法。
（付記１２）
コンピュータに、
複数の通信手段に複数の通信装置と通信させる通信処理と、
一の通信手段が通信可能な通信装置の数が所定の閾値以上となった場合に、前記一の通信手段によって前記通信装置との通信に用いられるリソースに、他の通信手段によって用いられるリソースの少なくとも一部を追加する追加処理と
を実行させる通信制御用プログラム。
【符号の説明】
【０１８７】
１、２    通信システム
１０    基地局
１１、１２    通信部
１３  追加部
１００、６００    基地局装置
１１０、６１０    有線通信部
１２０、６２０    リソース収容部
１２１、１２２、１２３、１２４、６２１、６２２、６２３、６２４    通信処理部
１３０、６３０    サービスエリア監視制御部
２００、７００    通信装置
３００    コアネットワーク
４０１、４０２、４０３、４０４    ＲＲＨ
５０１、５０２、５０３、５０４    サービスエリア
【図１】
2019161469.tif 000003
【図２】
2019161469.tif 000004
【図３】
2019161469.tif 000005
【図４】
2019161469.tif 000006
【図５】
2019161469.tif 000007
【図６】
2019161469.tif 000008
【図７】
2019161469.tif 000009
【図８】
2019161469.tif 000010
【図９】
2019161469.tif 000011
【図１０】
2019161469.tif 000012
【図１１】
2019161469.tif 000013